(57)【要約】【課題】表紙を閉じるための操作のみで紙葉を下方から支える所定の位置に紙葉支持部が設定されるので、特別な操作が不要であり、ファイルの綴じ具に紙葉を綴じる操作、紙葉を綴じ具から取り外す操作、ファイルに綴じられた紙葉をめくる操作等を阻害しないファイルを提供する。【解決手段】表表紙部と裏表紙部とが閉状態であるとき、綴じ具によって綴じ込まれた紙葉を下方から支える支持状態を形成する支持面を有し、閉状態にある表表紙部と裏表紙部が開状態に移行し、補助表紙部が裏表紙部に対して離間する方向に変位すると、該変位に連動して支持面を支持状態から紙葉の操作を阻害しない退避状態に移行させる。【選択図】図１
2010058321.tif 000002
【特許請求の範囲】
【請求項１】
紙葉を綴じ込むための綴じ具が設けられたファイルであって、
前記ファイルは、
表表紙部と背表紙部と裏表紙部とが連設され、
前記裏表紙部のいずれかの端縁部に、補助表紙部がヒンジを介して変位可能に接続され、
前記裏表紙部と前記補助表紙部とに接続され、両者の間の相対的な変位に応じて、前記裏表紙部に対する姿勢を変化させる紙葉支持部を備え、
前記紙葉支持部は、前記ファイルが閉状態であるとき、前記綴じ具によって綴じ込まれた紙葉を下方から支える支持状態を形成する支持面を有し、前記ファイルが開状態に移行する際に、前記補助表紙部が該裏表紙部に対して離間する方向に変位すると、該変位に連動して、該支持面を紙葉の近傍から離間させて前記支持状態を解除し、退避状態に移行させる、
ファイル。
【請求項２】
前記紙葉支持部は、
該紙葉支持部と前記裏表紙部とを接続する第一接続軸部を介して、該紙葉支持部と該裏表紙部とが回動可能に接続され、且つ前記支持面に対してヒンジを介して変位可能に接続される第一接続部と、
該紙葉支持部と前記補助表紙部とを接続する第二接続軸部を介して、該紙葉支持部と該補助表紙部とが回動可能に接続され、且つ前記支持面に対してヒンジを介して変位可能に接続される第二接続部と、を有し、
前記ファイルが閉状態にあるときは、前記支持面が前記裏表紙部に対して略垂直となるように、該支持面を前記第一接続部と前記第二接続部とに対して変位させ、
前記ファイルが開状態に移行し、前記補助表紙部が該裏表紙部に対して離間する方向に変位すると、前記支持面が前記退避状態となるように、該支持面を前記第一接続部と前記第二接続部に対して変位させる、
請求項１に記載のファイル。
【請求項３】
前記退避状態は、ファイルの開状態、すなわち前記裏表紙部と補助表紙部とが相対的に変位して略面一となるのに応じて、前記第一接続部と前記第二接続部と前記支持面とが相対的に変位することにより略面一となり、前記支持面が紙葉から離間した状態である、
請求項１又２に記載のファイル。
【請求項４】
前記補助表紙部は、
前記裏表紙部の端縁部とヒンジを介して変位可能に接続される第一補助表紙部と、
前記第一補助表紙部の端縁部のうち前記裏表紙部と接続された端縁部と対向する端縁部から前記ファイルの幅方向に延在し、且つ該第一補助表紙部に対してヒンジを介して変位可能に設けられる第二補助表紙部と、を有し、
前記第一接続部は、前記裏表紙部に接続され、
前記第二接続部は、前記第一補助表紙部に接続され、
前記ファイルが開状態にあるとき、前記第二接続部の一部が前記第二補助表紙部側に跨って位置し、
前記ファイルが閉状態に移行とするとき、前記第二補助表紙部は前記第一補助表紙部に対して両者が近接する方向に変位し、該変位により、前記第二補助表紙部が前記第二接続部の一部を前記第一補助表紙部側に押し込まれることで、前記支持面が前記支持状態に至るのを補助する、
請求項１から３の何れか一項に記載のファイル。
【請求項５】
前記ファイルを閉状態とすると、前記第一補助表紙部は前記背表紙部に対向する位置に配置され、且つ前記第二補助表紙部は前記表表紙部と重なる位置に配置される、
請求項４に記載のファイル。
【発明の詳細な説明】
【技術分野】
【０００１】
本発明はファイルに関するものである。
【背景技術】
【０００２】
従来から、書類等の紙葉をファイルに綴じて保管する場合があるが、ファイルに綴じられた紙葉の端が垂れ、ファイルの表紙からはみ出してしまい、紙葉が傷むことがある。
【０００３】
そこで、ファイルの裏表紙の下縁に、ファイルに綴じられた紙葉に対して垂直方向に表表紙と対向するように、紙葉を下方から支える紙葉支持部が設けられたファイル（特許文献１及び２参照。）や、表表紙の下縁に設けられた係合部が裏表紙の下縁に設けられた紙葉支持部と係合することによって、紙葉の自重を支えるファイル（特許文献３参照。）が開示されており、ファイルに綴じられた紙葉の端が垂れ、ファイルの表紙からはみ出し、紙葉が傷んでしまうことを防止することが可能なファイルが開発されている。
【特許文献１】実開昭５５−２９２０４号公報
【特許文献２】特開２００１−１３８６７６号公報
【特許文献３】特開２００６−９５８２６号公報
【発明の開示】
【発明が解決しようとする課題】
【０００４】
従来のファイルは、裏表紙の下縁に紙葉支持部を設けることでファイルに綴じられた紙葉を下方から支え、ファイルの表紙から紙葉がはみ出すことによって紙葉が傷んでしまうことを防止することが可能であるが、ファイルに設けられた綴じ具に紙葉を綴じる操作、紙葉を綴じ具から取り外す操作、ファイルに綴じられた紙葉をめくる操作等の紙葉の操作を行う際、紙葉支持部がユーザの手や紙葉に接触してしまい、該操作の邪魔となっていた。また、紙葉支持部と係合部を係合することによって、ファイルに綴じられた紙葉の自重を支えることが可能な従来のファイルは、紙葉支持部と係合部をユーザが手で係合するという特別な操作が必要であり、ユーザにとって操作が煩わしいものであった。
【０００５】
そこで本発明は、上記問題に鑑み、表紙を閉じるだけで紙葉を下方から支える所定の位置に紙葉支持部が設定されるので、特別な操作が不要であり、ファイルの綴じ具に紙葉を綴じる操作、紙葉を綴じ具から取り外す操作、ファイルに綴じられた紙葉をめくる操作等の紙葉の操作を阻害しないファイルを提供することを目的とする。
【課題を解決するための手段】
【０００６】
本発明は、上記課題を解決するために、閉状態にある表表紙部、裏表紙部および補助表紙部が開状態に移行する際と、表表紙部と裏表紙部が閉状態に移行する際との、紙葉を下方から支える紙葉支持部の配置状態を工夫した。これにより、紙葉を下方から支え、且つ、紙葉の操作を阻害しないファイルを提供することが可能である。
【０００７】
詳細には、本発明は、紙葉を綴じ込むための綴じ具が設けられたファイルであって、前記ファイルは、表表紙部と背表紙部と裏表紙部とが連設され、前記裏表紙部のいずれかの端縁部に、補助表紙部がヒンジを介して変位可能に接続され、前記裏表紙部と前記補助表紙部とに接続され、両者の間の相対的な変位に応じて、前記裏表紙部に対する姿勢を変化させる紙葉支持部を備え、前記紙葉支持部は、前記ファイルが閉状態であるとき、前記綴じ具によって綴じ込まれた紙葉を下方から支える支持状態を形成する支持面を有し、前記ファイルが開状態に移行する際に、前記補助表紙部が該裏表紙部に対して離間する方向に変位すると、該変位に連動して、該支持面を紙葉の近傍から離間させて前記支持状態を解
除し、退避状態に移行させる。
【０００８】
上記ファイルでは、補助表紙部は、裏表紙部のまわりの縁である端縁部のうち、前記裏表紙部が接続された端縁部と対向する端縁部に延在する。また、補助表紙部と裏表紙部の間がヒンジ機構となっており、補助表紙部は裏表紙部に対して変位可能である。また、紙葉支持部は、表表紙部と裏表紙部とが閉状態であるとき、支持面が、綴じ具によって綴じ込まれた紙葉を下方から支えることが可能である。その結果、本発明のファイルは、ファイルの表紙から紙葉がはみ出すことによって紙葉が傷んでしまうことを防止することが可能である。
【０００９】
更に、紙葉支持部は、裏表紙部と補助表紙部とに接続されており、裏表紙部と補助表紙部の間の相対的な変位に応じて、支持面の裏表紙部材に対する姿勢を変化させることが可能である。その結果、紙葉支持部は、閉状態にある表表紙部、裏表紙部および補助表紙部が開状態に移行する際、補助表紙部が裏表紙部に対して離間する方向に変位し、該変位に連動して紙葉支持部が変位することにより、紙葉を下方から支える支持状態を形成する支持面を、該支持状態から紙葉の操作を阻害しない退避状態に移行させることが可能である。従って、本発明に係るファイルは、表表紙部と裏表紙部が閉状態であるだけで紙葉を下方から支える所定の位置に紙葉支持部が設定されるので、特別な操作が必要なく、ファイルの表紙から紙葉がはみ出すことによって紙葉が傷んでしまうことを防止することが可能である。更に、表表紙部、裏表紙部および補助表紙部が開状態に移行することにより、紙葉支持部が紙葉の操作を阻害しない退避状態に移行するため、紙葉支持部がユーザの手や紙葉に接触し難くなり、ファイルに設けられた綴じ具に紙葉を綴じる操作、紙葉を綴じ具から取り外す操作、ファイルに綴じられた紙葉をめくる操作等の操作を阻害せず、ユーザにとって使いやすいファイルを提供することが可能である。
【００１０】
ここで本発明において、前記紙葉支持部は、該紙葉支持部と前記裏表紙部とを接続する第一接続軸部を介して、該紙葉支持部と該裏表紙部とが回動可能に接続され、且つ前記支持面に対してヒンジを介して変位可能に接続される第一接続部と、該紙葉支持部と前記補助表紙部とを接続する第二接続軸部を介して、該紙葉支持部と該補助表紙部とが回動可能に接続され、且つ前記支持面に対してヒンジを介して変位可能に接続される第二接続部と、を有し、前記ファイルが閉状態にあるときは、前記支持面が前記裏表紙部に対して略垂直となるように、該支持面を前記第一接続部と前記第二接続部とに対して変位させ、前記ファイルが開状態に移行し、前記補助表紙部が該裏表紙部に対して離間する方向に変位すると、前記支持面が前記退避状態となるように、該支持面を前記第一接続部と前記第二接続部に対して変位させてもよい。
【００１１】
紙葉支持部は、第一接続部と第二接続部を有する。第一接続部は第一接続軸部を介して紙葉支持部の支持面を裏表紙部に接続し、第一接続部と支持面の間がヒンジ機構となっており、第一接続部は支持面に対して変位可能である。第二接続部は第二接続軸部を介して紙葉支持部の支持面を補助表紙部に接続し、第二接続部と支持面の間がヒンジ機構となっており、第二接続部は支持面に対して変位可能である。その結果、表表紙部、裏表紙部および補助表紙部が閉状態にある際、第一接続部および第二接続部が支持面に対して略垂直になるように変位することにより、支持面が裏表紙部と補助表紙部とに対して略垂直な所定の位置に設定される。従って、本発明に係るファイルは、表表紙部と裏表紙部が閉状態であるだけで紙葉を下方から支える所定の位置に紙葉支持部が設定されるので、特別な操作が必要なく、ファイルの表紙から紙葉がはみ出すことによって紙葉が傷んでしまうことを防止することが可能である。
【００１２】
また、閉状態にある表表紙部、裏表紙部および補助表紙部が開状態に移行する際は、補助表紙部が裏表紙部に対して離間する方向に変位すると、閉状態の際は支持面に対して略
垂直になるように変位した第一接続部および第二接続部が、支持面が紙葉の近傍から離間するように変位し、支持面が退避状態となることが可能である。従って、本発明のファイルは、表表紙部、裏表紙部および補助表紙部が開状態に移行することにより支持面が紙葉の近傍から離間した状態となり、紙葉支持部が紙葉の操作を阻害しない退避状態に位置することが可能である。
【００１３】
前記退避状態は、ファイルの開状態、すなわち前記裏表紙部と補助表紙部とが相対的に変位して略面一となるのに応じて、前記第一接続部と前記第二接続部と前記支持面とが相対的に変位することにより略面一となり、前記支持面が紙葉から離間した状態でもよい。
【００１４】
閉状態にある表表紙部、裏表紙部および補助表紙部が開状態に移行する際、補助表紙部が裏表紙部に対して離間する方向に変位すると、補助表紙部と裏表紙部が略面一となり、前記変位に連動して前記支持面と第一接続部と第二接続部とがそれぞれ離間する方向に変位することにより略面一となる。従って、本発明のファイルは、表表紙部、裏表紙部および補助表紙部が開状態である際、前記支持面を紙葉の近傍から離間させた状態となることにより、紙葉支持部が紙葉の操作を阻害しない退避状態に位置することが可能である。
【００１５】
ここで本発明において、前記補助表紙部は、前記裏表紙部の端縁部とヒンジを介して変位可能に接続される第一補助表紙部と、前記第一補助表紙部の端縁部のうち前記裏表紙部と接続された端縁部と対向する端縁部から前記ファイルの幅方向に延在し、且つ該第一補助表紙部に対してヒンジを介して変位可能に設けられる第二補助表紙部と、を有し、前記第一接続部は、前記裏表紙部に接続され、前記第二接続部は、前記第一補助表紙部に接続され、前記ファイルが開状態にあるとき、前記第二接続部の一部が前記第二補助表紙部側に跨って位置し、前記ファイルが閉状態に移行とするとき、前記第二補助表紙部は前記第一補助表紙部に対して両者が近接する方向に変位し、該変位により、前記第二補助表紙部が前記第二接続部の一部を前記第一補助表紙部側に押し込まれることで、前記支持面が前記支持状態に至るのを補助してもよい。
【００１６】
補助表紙部は、第一補助表紙部と第二補助表紙部を有する。第一補助表紙部は紙葉支持部の第二接続部と接続し、裏表紙部の端縁部との間がヒンジ機構となっており、裏表紙部の端縁部に対して変位可能である。第二補助表紙部は、第一補助表紙部の端縁部のうち裏表紙部と接続された端縁部と対向する端縁部から幅方向（横方向）に延在し、第一補助表紙部との間がヒンジ機構となっており、第一補助表紙部に対して変位可能である。よって、本発明のファイルは、表表紙部、裏表紙部および補助表紙部を閉状態とするとき、第二補助表紙部が第一補助表紙部に対して近接する方向に変位する。
【００１７】
また、表表紙部、裏表紙部および補助表紙部が開状態とするとき、第二接続部の一部が第二補助表紙部側に跨るように配置される。その結果、開状態にある表表紙部、裏表紙部および補助表紙部が閉状態に移行し、第二補助表紙部が第一補助表紙部に対して近接する方向に変位する際、第二補助表紙部に第二接続部の一部が押され、第二接続部が支持面に対して略垂直になるように変位し易くなり、紙葉支持部の支持面が支持状態に至るのを補助することが可能である。従って、本発明のファイルは、開状態にある表表紙部、裏表紙部および補助表紙部が閉状態に移行するだけで紙葉を下方から支える所定の位置に紙葉支持部が設定されるので、特別な操作が必要なく、ファイルの表紙から紙葉がはみ出すことによって紙葉が傷んでしまうことを防止することが可能である。
【００１８】
ここで本発明において、前記ファイルは、前記ファイルを閉状態とすると、前記第一補助表紙部は前記背表紙部に対向する位置に配置され、且つ前記第二補助表紙部は前記表表紙部と重なる位置に配置されてもよい。
【００１９】
表表紙部、裏表紙部および補助表紙部を閉状態とする際に、第一補助表紙部が背表紙部に対向する位置に配置されることによって、紙葉の幅方向の端縁部の両側を背表紙と第一補助表紙部によって保護することが可能となり、綴じ具に綴じられた紙葉を保護することが可能である。また、第二補助表紙部と表表紙部の各々が重なる位置に、互いに着脱することが可能な着脱部等を設けることが可能であり、表表紙部、裏表紙部および補助表紙部の閉状態を維持することが可能である。
【発明の効果】
【００２０】
本発明は、表紙を閉じるだけで紙葉を下方から支える所定の位置に紙葉支持部が設定されるので、特別な操作が不要であり、ファイルの綴じ具に紙葉を綴じる操作、紙葉を綴じ具から取り外す操作、ファイルに綴じられた紙葉をめくる操作等の紙葉の操作を阻害しないファイルを提供することが可能である。
【発明を実施するための最良の形態】
【００２１】
ここで、本発明に係るファイルの実施例について、図面に基づいて説明する。以下に示す実施例は例示であり、本発明はこれらに限定されるものではない。図１は、本発明の実施例に係るファイル１の表表紙部２と裏表紙部３が開状態の斜視図である。図２は、図１に示す紙葉支持部６を拡大した拡大斜視図である。図３は、本発明の実施例に係るファイル１の表表紙部２と裏表紙部３が閉状態の斜視図である。
【００２２】
＜ファイルの構成＞
本発明の実施例に係るファイル１は、表表紙部２と、裏表紙部３と、背表紙部４と、補助表紙部５と、紙葉支持部６を主な構成とする。以下、具体的に説明する。
【００２３】
先ず、表表紙部２について説明する。表表紙部２は、図３に示すように、紙葉１２の表面を覆う板状のものから構成される。また、表表紙部２は、背表紙部４に連設され、該背表紙部４との間がヒンジ機構２１となっており、背表紙部４に対して変位可能である。更に、表表紙部２は、補助表紙部５の第二補助表紙部５２と一部と重なる。
【００２４】
裏表紙部３について説明する。裏表紙部３は、図３に示すように、紙葉１２を裏側から支える板状のものから構成される。また、裏表紙部３は、背表紙部４に連設され、該背表紙部４との間がヒンジ機構３１となっており、背表紙部４に対して変位可能である。尚、表表紙部２および裏表紙部３は、Ａ５、Ａ４、Ａ３、Ｂ５、Ｂ４、Ｂ３など、ファイル１の綴じ具１１に綴じる紙葉１２に応じた大きさである。
【００２５】
背表紙部４について説明する。背表紙部４は、図１及び図３に示すように、ファイル１の綴じ具１１に綴じる紙葉１２を側面から支える板状のものからなり、表表紙部２と裏表紙部３との間に連設されている。また、背表紙部４は、表表紙部２とのヒンジ機構２１および裏表紙部３とのヒンジ機構３１によって、表表紙部２と裏表紙部３に対して変位可能である。この背表紙部４の表面側には、ファイル名などが付記される。また、背表紙部４の裏面側には、綴じ具１１が設けられ、パンチング等によって綴じ孔が設けられた紙葉１２を綴じることが可能である。
【００２６】
補助表紙部５について説明する。補助表紙部５は、図１に示すように、第一補助表紙部５１と第二補助表紙部５２を有する。第一補助表紙部５１は、裏表紙部３の端縁部のうちファイル１の幅方向（横方向）の端縁部から該幅方向（横方向）に延在する。また、第一補助表紙部５１は、裏表紙部３との間がヒンジ機構５３となっており、裏表紙部３に対して変位可能である。更に、第一補助表紙部５１は、紙葉支持部６の第二接続部６２と接続されている。紙葉支持部６については後述する。
【００２７】
第二補助表紙部５２は、第一補助表紙部５１の端縁部のうち裏表紙部３とは接続されていないファイル１の幅方向（横方向）の端縁部から幅方向（横方向）に延在する。また、第二補助表紙部５２は、第一補助表紙部５１との間がヒンジ機構５４となっており、第一補助表紙部５１に対して変位可能である。更に、第二補助表紙部５２は、表表紙部２と裏表紙部３を閉状態とする際に、表表紙部２の一部と重なる。
【００２８】
表表紙部２と第二補助表紙部５２は、該表表紙部２と該第二補助表紙部５２とが重なる位置に、面ファスナー９，１０が縦方向に各々複数設けられる（図１参照）。面ファスナー９は、表表紙部２が背表紙部４と連設していない側のファイル１の幅方向（横方向）の端縁部の内面に複数設けられる。面ファスナー１０は、第二補助表紙部５２が面ファスナー９と接触する位置に設けられる。尚、表表紙部２もしくは第二補助表紙部５２に設けられたどちらか一方の面ファスナーは鉤状の突起が一面についた形状をしており、他方の面ファスナーはパイル状の形状をしている。従って、本発明の実施例に係るファイル１は、表表紙部２と裏表紙部３とが閉状態であるとき、面ファスナー９および面ファスナー１０が接触することによって、表表紙部２と第二補助表紙部５２が留められ、表表紙部２と裏表紙部３の閉状態を維持することが可能である。また、面ファスナー９および面ファスナー１０の接触を解除することによって、表表紙部２と裏表紙部３の維持された閉状態を開放することが可能である。
【００２９】
紙葉支持部６について説明する。紙葉支持部６は、図１及び図２に示すように、支持面６３と、第一接続部６１と、第二接続部６２と、保持部６４を有する。支持面６３は、表表紙部２と裏表紙部３とが閉状態であるとき、裏表紙部３に対して略垂直となるように配置され、綴じ具１１によって綴じ込まれた紙葉１２を、下方から支えることが可能である。
【００３０】
第一接続部６１は、支持面６３を裏表紙部３に接続し、支持面６３との間がヒンジ機構６１１となっており、支持面６３に対して変位可能である。第一接続部６１と裏表紙部３とのそれぞれに、第一接続軸部７と略同径の貫通孔（図示していない）が設けられ、該貫通孔に第一接続軸部７が貫通することにより、第一接続部６１と裏表紙部３とが接続される。第一接続軸部７は、例えばボルトとナットから構成されるが、この構成に限定されない。
【００３１】
第二接続部６２は、支持面６３を第一補助表紙部５１に接続し、支持面６３との間がヒンジ機構６２１となっており、支持面６３に対して変位可能である。第一補助表紙部５１に第二接続軸部８と略同径の貫通孔（図示していない）が設けられ、第二接続部６２に縦径が第二接続軸部８と略同径であって、横径が縦径よりも長い径である長孔６５が第二接続部６２に設けられ、第二接続軸部８が貫通孔と長孔６５とを貫通することにより、第二接続部６２と第一補助表紙部５１とが接続される。
【００３２】
保持部６４は、第一接続部６１と接続されている支持面６３の端縁部と反対の端縁部に設けられ、表表紙部２と裏表紙部３が閉状態にあるときに、第一接続部６１と対向するように設置される。また、保持部６４は、支持面６３との間がヒンジ機構６４１となっており、支持面６３に対して変位可能である。従って、ファイル１の開状態において、保持部６４と支持面６３とを変位させ略同一の面にすることが可能である。
【００３３】
＜ファイルの使用＞
次に、本発明の実施例に係るファイル１の使用について説明する。図４は、本発明の実施例に係るファイル１が閉状態から開状態に移行する途中の紙葉支持部６の拡大斜視図である。図５は、本発明の実施例に係るファイル１が開状態に移行した紙葉支持部６の拡大斜視図である。
【００３４】
先ず、ファイル１が閉状態から開状態に移行する状態について説明する。本発明の実施例に係るファイル１は、閉状態にあるときは、支持面６３が裏表紙部３に対して略垂直に位置する（図２及び図３参照）。一方、表表紙部２、裏表紙部３および補助表紙部５を変位させて開状態に移行させるときは、面ファスナー９，１０の接着を解除し、補助表紙部５が裏表紙部３に対して離間する方向にヒンジ機構５３，５４によって変位する。そして、裏表紙部３と接続する第一接続部６１と、第一補助表紙部５１と接続する第二接続部６２も、ヒンジ機構６１１，６２１によって支持面６３が紙葉１２から離間するように変位する。その結果、裏表紙部３に対して略垂直に位置していた支持面６３が略垂直状態から解除される（図４参照）。尚、第一接続部６１が第一接続軸部７によって裏表紙部３に接続される。第一接続軸部７と図示しない貫通孔とは略同径であることから、第一接続軸部７は該貫通孔中を移動しない。一方、第二接続部６２が第二接続軸部８によって第一補助表紙部５１と接続されている。第二接続軸部８を貫通する孔が、縦径は第二接続軸部８と略同径であり、横径は縦径よりも長い径である長孔６５であることから、第二接続軸部８は長孔６５中を横に移動することが可能である。上記の構成により、表紙部３と補助表紙部５とが相対的に変位するのに応じて、第一接続部６１と第二接続部６２と支持面６３とが相対的に変位することが可能となる。
【００３５】
更に、補助表紙部５と裏表紙部３が略面一となるまで補助表紙部５が裏表紙部３に対して離間する方向に変位させると、支持面６３が裏表紙部３上に接触した状態となる。つまり、第一接続部６１と、第二接続部６２と、支持面６３と、裏表紙部３と、第一補助表紙部５１と、第二補助表紙部５２が、略面一な状態となる（図５参照）。その結果、支持面６３は、裏表紙部３に対して略垂直に位置することによって紙葉１２を下方から支える支持状態から、紙葉１２の操作を阻害しない退避状態に移行させることが可能である。従って、本発明の実施例に係るファイル１は、表表紙部２と裏表紙部３が閉状態において支持状態を形成していた支持面６３を、表表紙部２、裏表紙部３および補助表紙部５を開状態とすることによって、支持面６３を自動的に退避状態に移行させ、綴じ具１１に紙葉１２を綴じる操作、紙葉１２を綴じ具１１から取り外す操作、綴じ具１１に綴じられた紙葉１２をめくる操作等の紙葉の操作を紙葉支持部６が阻害せず、ユーザにとって使いやすいファイル１を提供することが可能である。尚、保持部６４が支持面６３に対してヒンジ機構６４１により変位させることによって、支持面６３に対して略面一な状態とし、更に紙葉の操作を行い易くすることが可能である。
【００３６】
次に、開状態にある表表紙部２、裏表紙部３および補助表紙部５が閉状態に移行する状態のファイル１について説明する。開状態にある表表紙部２、裏表紙部３および補助表紙部５が閉状態に移行する際に、第二補助表紙部５２は第一補助表紙部５１に対して両者が近接する方向にヒンジ機構５４によって変位される。また、その際に、紙葉支持部６が有する第二接続部６２の一部６６が第二補助表紙部５２側に飛び出るように配置することで（図５参照）、第二補助表紙部５２に第二接続部６２の一部６６が押され、第二接続部６２が支持面６３に対して略垂直になるように変位し易くなり、支持面６３が支持状態に至るのを補助することが可能である（図４参照）。従って、本発明の実施例に係るファイル１は、開状態にある表表紙部２、裏表紙部３および補助表紙部５が閉状態に移行するだけで紙葉１２を下方から支える所定の位置に紙葉支持部６が設定されるので、特別な操作が必要なく、ファイル１の表紙から紙葉１２がはみ出すことによって紙葉１２が傷んでしまうことを防止することが可能である。
【図面の簡単な説明】
【００３７】
【図１】本発明の実施例に係るファイルの表表紙部と裏表紙部が開状態の斜視図である。
【図２】本発明の実施例に係るファイルの紙葉支持部を拡大した拡大斜視図である。
【図３】本発明の実施例に係るファイルの表表紙部と裏表紙部が閉状態である斜視図である。
【図４】本発明の実施例に係るファイルが閉状態から開状態に移行する途中の紙葉支持部の拡大斜視図である。
【図５】本発明の実施例に係るファイルの開状態における紙葉支持部の拡大斜視図である。
【符号の説明】
【００３８】
１・・・ファイル
２・・・表表紙部
３・・・裏表紙部
４・・・背表紙部
５・・・補助表紙部
５１・・・第一補助表紙部
５２・・・第二補助表紙部
５３，５４・・・ヒンジ機構
６・・・紙葉支持部
６１・・・第一接続部
６２・・・第二接続部
６３・・・支持面
６４・・・保持部
６５・・・長孔
７・・・第一接続軸部
８・・・第二接続軸部
９，１０・・・面ファスナー
１１・・・綴じ具
１２・・・紙葉
【図１】
2010058321.tif 000003
【図２】
2010058321.tif 000004
【図３】
2010058321.tif 000005
【図４】
2010058321.tif 000006
【図５】
2010058321.tif 000007